(57)【要約】【構成】ケースＣＳ１は、観察面に接する開口ＯＰ１を有し、対象物が存在する空間を観察面と協働して塞ぐ。ディジタルカメラ１０はケースＣＳ１に装着され、撮像装置はケースＣＳ１の内側のシーンをズームレンズを通して捉える。撮像装置によって捉えられたシーンを表す動画像は、撮像装置の処理と並列してＬＣＤモニタ３０に表示され、かつスマートフォンに転送される。ズームレンズＺＬの位置は、リングＲＧ１の回転操作に従って変更される。【効果】対象物の観察に関する性能が向上する。【選択図】図２
2014175718.tif 000002
【特許請求の範囲】
【請求項１】
観察面に接する開口を有し、対象物が存在する空間を前記観察面と協働して塞ぐ容器、
前記容器に装着されて前記容器の内側のシーンを捉える撮像手段、
前記撮像手段によって捉えられたシーンを表す画像を前記撮像手段の処理と並列して出力する出力手段、および
前記撮像手段のズーム倍率を倍率変更操作に従って変更する変更手段を備える、カメラ装置。
【請求項２】
前記容器の外側を向くように前記容器に装着されたモニタ画面をさらに備え、
前記出力手段は前記画像を前記モニタ画面に表示する表示手段を含む、請求項１記載のカメラ装置。
【請求項３】
前記出力手段は前記画像を外部装置に転送する転送手段を含む、請求項１または２記載のカメラ装置。
【請求項４】
前記撮像手段によって捉えられたシーンを表す静止画像を記録操作に応答して記録する記録手段、および
前記記録手段によって記録された静止画像を転送操作に応答して前記外部装置に転送する静止画像転送手段をさらに備える、請求項３記載のカメラ装置。
【請求項５】
前記容器の内側に光を照射する照射手段をさらに備える、請求項１ないし４のいずれかに記載のカメラ装置。
【請求項６】
前記撮像手段はズームレンズを含み、
前記変更手段は光軸方向における前記ズームレンズの位置を変更する、請求項１ないし５のいずれかに記載のカメラ装置。
【発明の詳細な説明】
【技術分野】
【０００１】
この発明は、カメラ装置に関し、特に、撮像装置によって捉えられたシーンを表す動画像をリアルタイムで出力し、出力される動画像の倍率を倍率変更操作に応答して変更する、カメラ装置に関する。
【背景技術】
【０００２】
この種の装置の一例が、特許文献１に開示されている。この背景技術によれば、ディジタルカメラおよびルーペが、数カ所の可動関節部を持つ装着具によって締結される。ディジタルカメラの鏡筒はルーペの鏡筒に直接的に接触し、対象物はルーペを介して撮影される。
【先行技術文献】
【特許文献】
【０００３】
【特許文献１】特開２００６−３４５１１９号公報
【発明の概要】
【発明が解決しようとする課題】
【０００４】
しかし、背景技術は昆虫のような小動物の観察を想定しておらず、対象物の観察に関する利便性に限界がある。
【０００５】
それゆえに、この発明の主たる目的は、対象物の観察に関する利便性を高めることができる、カメラ装置を提供することである。
【課題を解決するための手段】
【０００６】
この発明に従うカメラ装置(100：実施例で相当する参照符号。以下同じ)は、観察面に接する開口(OP1)を有し、対象物が存在する空間を観察面と協働して塞ぐ容器(CS1)、容器に装着されて容器の内側のシーンを捉える撮像手段(ZL, 14~18, S3)、撮像手段によって捉えられたシーンを表す画像を撮像手段の処理と並列して出力する出力手段(28, 44, S5, S15)、および撮像手段のズーム倍率を倍率変更操作に従って変更する変更手段(CV1, SL1)を備える。
【０００７】
好ましくは、容器の外側を向くように容器に装着されたモニタ画面(30)がさらに備えられ、出力手段は画像をモニタ画面に表示する表示手段(28, S5)を含む。
【０００８】
好ましくは、出力手段は画像を外部装置に転送する転送手段(44, S15)を含む。
【０００９】
さらに好ましくは、撮像手段によって捉えられたシーンを表す静止画像を記録操作に応答して記録する記録手段(40, S23, S27~S29)、および記録手段によって記録された静止画像を転送操作に応答して外部装置に転送する静止画像転送手段(S37~S39)がさらに備えられる。
【００１０】
好ましくは、容器の内側に光を照射する照射手段(36, S1)がさらに備えられる。
【００１１】
好ましくは、撮像手段はズームレンズ(ZL)を含み、変更手段は光軸方向におけるズームレンズの位置を変更する。
【発明の効果】
【００１２】
対象物が存在する空間は、容器によって塞がれ、かつ撮像手段によって捉えられる。対象物を表す画像は、撮像手段の処理と並列して出力される。また、出力された画像の倍率は、倍率変更操作に従って変更される。これによって、対象物の観察に関する性能が向上する。
【００１３】
この発明の上述の目的，その他の目的，特徴および利点は、図面を参照して行う以下の実施例の詳細な説明から一層明らかとなろう。
【図面の簡単な説明】
【００１４】
【図１】この発明の一実施例の基本的構成を示すブロック図である。
【図２】この実施例のカメラ装置を斜め上から眺めた状態の一例を示す外観図であり、（Ｂ）はこの実施例のカメラ装置を斜め下から眺めた状態の一例を示す外観図である。
【図３】（Ａ）は図２実施例に適用されるケースを斜め上から眺めた状態の一例を示す外観図であり、（Ｂ）は図２実施例に適用されるケースを斜め下から眺めた状態の一例を示す外観図である。
【図４】図２実施例に適用されるディジタルカメラを斜め上から眺めた状態の一例を示す外観図であり、（Ｂ）は図２実施例に適用されるディジタルカメラを斜め下から眺めた状態の一例を示す外観図である。
【図５】この実施例に適用されるディジタルカメラの構成の一例を示すブロック図である。
【図６】撮像面における評価エリアの割り当て状態の一例を示す図解図である。
【図７】図５実施例に適用されるズーム制御機構の構成の一例を示す図解図である。
【図８】図５実施例に適用されるＣＰＵの動作の一部を示すフロー図である。
【図９】図５実施例に適用されるＣＰＵの動作の他の一部を示すフロー図である。
【図１０】図５実施例に適用されるＣＰＵの動作のその他の一部を示すフロー図である。
【発明を実施するための形態】
【００１５】
以下、この発明の実施の形態を図面を参照しながら説明する。
［基本的構成］
【００１６】
図１を参照して、この実施例のカメラ装置は、基本的に次のように構成される。容器１は、観察面に接する開口を有し、対象物が存在する空間を観察面と協働して塞ぐ。撮像手段２は、容器１に装着されて容器１の内側のシーンを捉える。出力手段３は、撮像手段２によって捉えられたシーンを表す画像を撮像手段２の処理と並列して出力する。変更手段４は、撮像手段２のズーム倍率を倍率変更操作に従って変更する。
【００１７】
対象物が存在する空間は、容器１によって塞がれ、かつ撮像手段２によって捉えられる。対象物を表す画像は、撮像手段２の処理と並列して出力される。また、出力された画像の倍率は、倍率変更操作に従って変更される。これによって、対象物の観察に関する性能が向上する。
［実施例］
【００１８】
図２（Ａ）〜図２（Ｂ）を参照して、この実施例のカメラ装置１００は、透明のケースＣＳ１とディジタルカメラ１０とによって形成される。また、ディジタルカメラ１０は、ケースＣＳ１に対して着脱自在とされる。
【００１９】
図３（Ａ）〜図３（Ｂ）に示すように、ケースＣＳ１は、卵型で中空の球体を長さ方向の両端でカットした形状であり、両端に開口ＯＰ１およびＯＰ２を有している。一方の開口ＯＰ１は、観察面に接する開口であり、観察面と協働して対象物が存在する空間を塞ぐ。他方の開口ＯＰ２は、ディジタルカメラ１０が装着される開口であり、開口ＯＰ１に対向するように設けられる。なお、切り込みＥＧ１およびＥＧ２は、ディジタルカメラ１０の位置決めのために設けられる。
【００２０】
ディジタルカメラ１０は、ケースＣＳ１の内側を捉える姿勢で開口ＯＰ１に装着される。開口ＯＰ１を観察面に接触させると、観察面上の一部の空間がケースＣＳ１およびディジタルカメラ１０によって塞がれる。したがって、観察面に存在する昆虫などの対象物にケースＣＳ１を被せると（覆うと）、この対象物をディジタルカメラ１０によって観察することができる。
【００２１】
なお、図３（Ｂ）においては、開口ＯＰ１の観察面に接する端面は平坦面を形成しているが、本発明はこれに限定されない。開口ＯＰ１は、観察面と密着しなくてもよく、観察面上の対象物がケースＣＳ１の外に出てしまうことがない程度に塞ぐことができればよい。したがって、端面形状は限定されるものではなく、開口ＯＰ１は、例えば、凹凸を有していてもよい。また、開口ＯＰ１の端部に、ゴム等の可撓性を有する素材を配置してもよい。この場合、平坦ではない観察面に対しても、開口ＯＰ１の端部を追従させることができ、対象物がケースＣＳ１の外に出ないよう、より効果的に塞ぐことができる。
【００２２】
図４（Ａ）〜図４（Ｂ）に示すように、ディジタルカメラ１０は、ケースＣＳ１の開口ＯＰ２に装着可能な形状の筐体を有しており、開口ＯＰ２に装着することで、ケースＣＳ１の内側のシーンを撮像可能である。
【００２３】
ディジタルカメラ１０には、電源ボタン３８ｐｗ，モードスイッチ３８ｍｄ，転送ボタン３８ｔｒ，シャッタボタン３８ｓｈ，再生ボタン３８ｒｅｐ，ＬＣＤモニタ３０およびリングＲＧ１が設けられている。このうち、シャッタボタン３８ｓｈおよび再生ボタン３８ｒｅｐは、切り込みＥＧ１およびＥＧ２と嵌合する形状を有して筐体の側面に形成される。
【００２４】
リングＲＧ１は、ディジタルカメラ１０を構成する光学系の光軸ＡＸを中心に回転可能に設けられている。リングＲＧ１の回転により、マニュアルズームレンズＺＬが光軸ＡＸに沿う方向に摺動する。リングＲＧ１表面には、回転を容易に行うために凸部を設けて滑り止めとしてもよい。
【００２５】
また、ディジタルカメラ１０には、ケースＣＳ１への装着時に観察面と対向する面に、６個のＬＥＤ３６１〜３６６が設けられる。ＬＥＤ３６１〜３６６は、対象物を含む撮像シーンの明るさを調整する。図４（Ｂ）においては、６個のＬＥＤ３６１〜３６６が６箇所にそれぞれ設けられるが、これに限定されるものではない。ただし、複数箇所に設けることで、光が複数の方向から対象物に照射されるため、影ができ難く、観察性能がさらに向上する。
【００２６】
ケースＣＳ１は、その内側の様子を肉眼で確認できるように透明であることが好ましい。しかし、夜行性の昆虫を暗室環境で観察したい場合等、対象物の種類等に応じて適宜、色，透過性等を変更してもよい。
【００２７】
図５を参照して、ディジタルカメラ１０は、レンズドライバ２０ａ，絞りドライバ２０ｂおよびセンサドライバ２０ｃによってそれぞれ駆動されるフォーカスレンズ１４，シャッタ機構１６および撮像装置１８を含む。また、フォーカスレンズ１４の前方には、ズームレンズＺＭを内蔵したズーム制御機構１２が設けられる。
【００２８】
ディジタルカメラ１０の電源は電源ボタン３８ｐｗの操作に応答して投入／遮断され、ディジタルカメラ１０の動作モードはモードスイッチ３８ｍｄによってカメラモードと再生モードとの間で切り換えられる。
【００２９】
また、ＣＰＵ３４は、マルチタスクＯＳの制御の下で複数のタスクを実行するＣＰＵである。カメラモードが選択された状態で電源が投入されると、撮像タスクがＣＰＵ３４によって実行され、再生モードが選択された状態で電源が投入されると再生タスクがＣＰＵ３４によって実行される。なお、これらのタスクに対応する制御プログラムは、フラッシュメモリ４６に記憶される。
【００３０】
撮像タスクの下で、ＣＰＵ３４はまず、ＬＥＤ３６１〜３６６を起動し、動画取り込み処理の実行をセンサドライバ２０ｃおよびカメラ処理回路２２に命令し、そして動画表示処理の実行をＬＣＤドライバ２８に命令する。
【００３１】
撮像シーン（＝ケースＣＳ１の内側）を表す光学像は、ズーム制御機構１２，フォーカスレンズ１４および絞りユニット１６を経て、撮像装置１８の撮像面に照射される。この結果、照射された光量に応じて異なる量の電荷が光電変換によって生成される。
【００３２】
センサドライバ２０ｃは、図示しないＳＧ(Signal Generator)から周期的に発生する垂直同期信号Ｖｓｙｎｃに応答して、撮像装置１８の撮像面を露光し、かつ撮像面で生成された電荷をラスタ走査態様で読み出す。撮像装置１８からは、読み出された電荷に基づく生画像データが周期的に出力される。
【００３３】
カメラ処理回路２２は、撮像装置１８から出力された生画像データにゲイン制御，色分離，白バランス調整およびＹＵＶ変換などの処理を施し、これによって生成されたＹＵＶ形式の画像データをメモリ制御回路２４を通してＳＤＲＡＭ２６の動画像エリア２６ａに書き込む。
【００３４】
ＬＣＤドライバ２８は、こうして書き込まれた画像データをメモリ制御回路２４を通して動画像エリア２６ａから繰り返し読み出し、読み出された画像データに基づいてＬＣＤモニタ３０を駆動する。この結果、撮像シーンを表す動画像（＝スルー画像）がＬＣＤモニタ３０に表示される。
【００３５】
図６を参照して、撮像装置１８の撮像面には、評価エリアＥＶＡが割り当てられる。評価エリアＥＶＡは水平方向および垂直方向の各々において１６分割され、２５６個の分割エリアが評価エリアＥＶＡを形成する。また、図２に示すカメラ処理回路２２は、ＹＵＶ形式の画像データを形成するＹデータをＡＥ／ＡＦ評価回路３２にも与える。
【００３６】
ＡＥ／ＡＦ評価回路３２は、与えられたＹデータのうち評価エリアＥＶＡに属するＹデータを、垂直同期信号Ｖｓｙｎｃが発生する毎に積分する。これによって、２５６個の積分値つまり２５６個のＡＥ評価値が、垂直同期信号Ｖｓｙｎｃに応答してＡＥ／ＡＦ評価回路３２から出力される。
【００３７】
ＡＥ／ＡＦ評価回路３２はまた、与えられたＹデータのうち評価エリアＥＶＡに属するＹデータの高周波成分を、垂直同期信号Ｖｓｙｎｃが発生する毎に積分する。これによって、２５６個の積分値つまり２５６個のＡＦ評価値が、垂直同期信号Ｖｓｙｎｃに応答してＡＥ／ＡＦ評価回路３２から出力される。
【００３８】
シャッタボタン３８ｓｈが非操作状態にあるとき、ＣＰＵ３４は、ＡＥ／ＡＦ評価回路３２から出力された２５６個のＡＥ評価値に基づいて簡易ＡＥ処理を実行し、適正ＥＶ値を算出する。算出された適正ＥＶ値を定義する絞り量および露光時間は絞りドライバ２０ｂおよびセンサドライバ２０ｃに設定され、これによってスルー画像の明るさが大まかに調整される。
【００３９】
図７を参照して、ズーム制御機構１２は、リングＲＧ１の回動運動を光軸ＡＸに沿う直線運動に変換する変換機構ＣＶ１を有する。摺動機構ＳＬ１は、変換機構ＣＶ１によって変換された直線運動を利用してマニュアルズームレンズＺＬを光軸ＡＸに沿う方向に摺動させる。マニュアルズームレンズＺＬは、リングＲＧ１の回転角度が“θｗｉｄｅ”を示すときにワイド端に配置され、回転角度の増大に伴ってテレ側に移動し、そして回転角度が“θｔｅｌｅ”を示すときにテレ端に配置される。スルー画像のズーム倍率は、このようなマニュアルズームレンズＺＬの移動に伴って変化する。
【００４０】
図５に戻って、カメラモードの下で転送ボタン３８ｔｒが操作されると、ＣＰＵ３４は、転送開始操作が行われたとみなし、動画転送の開始を通信Ｉ／Ｆ４４に命令する。通信Ｉ／Ｆ４４は、動画像エリア２６ａに格納された画像データをメモリ制御回路２４を通して繰り返し読み出し、読み出された画像データをスマートフォン（図示せず）に転送する。転送ボタン３８ｔｒが再度操作されると、ＣＰＵ３４は、転送終了操作が行われたとみなし、動画転送の終了をメモリＩ／Ｆ４４に命令する。この結果、スマートフォンへの画像データの転送が終了される。
【００４１】
シャッタボタン３８ｓｈが半押しされると、ＣＰＵ３４は、ＡＥ／ＡＦ評価回路３２から出力された２５６個のＡＥ評価値に基づいて厳格ＡＥ処理を実行する。これによって最適ＥＶ値が算出され、算出された最適ＥＶ値を定義する絞り量および露光時間もまた絞りドライバ２０ｂおよびセンサドライバ２０ｃに設定される。この結果、スルー画像の明るさが最適値に調整される。
【００４２】
ＣＰＵ３４はまた、ＡＥ／ＡＦ評価回路３２から出力された２５６個のＡＦ評価値に基づいてＡＦ処理を実行する。フォーカスレンズ１４は合焦点の探索のためにレンズドライバ２０ａによって光軸方向に移動し、これによって発見された合焦点に配置される。この結果、スルー画像の鮮鋭度が向上する。
【００４３】
シャッタボタン３８ｓｈが全押しされると、ＣＰＵ３４は、静止画取り込み処理を自ら実行し、記録処理の実行をメモリＩ／Ｆ４０に命令する。シャッタボタン３８ｓｈが全押しされた時点の１フレームの画像データは、静止画取り込み処理によって動画像エリア２６ａから記録画像エリア２６ｂに退避される。メモリＩ／Ｆ４０は、記録画像エリア２６ｂに退避された画像データをメモリ制御回路２４を通して読み出し、読み出された画像データを収めた画像ファイルを記録媒体４２に記録する。
【００４４】
再生タスクの下で、ＣＰＵ３４は、記録媒体４２に記録された最新の画像ファイルを指定し、指定画像ファイルの再生をメモリＩ／Ｆ４０に命令する。メモリＩ／Ｆ４０は、指定画像ファイルに格納された画像データを読み出し、読み出された画像データをメモリ制御回路２４を通してＳＤＲＡＭ２６の再生画像エリア２６ｃに書き込む。
【００４５】
ＣＰＵ３４はまた、再生画表示の開始をＬＣＤドライバ２８に命令する。ＬＣＤドライバ２８は、再生画像エリア２６ｃに格納された画像データをメモリ制御回路２４を通して読み出し、読み出された画像データに基づいてＬＣＤモニタ３０を駆動する。この結果、再生画像がＬＣＤモニタ３０に表示される。
【００４６】
再生ボタン３８ｒｅｐが操作されると、ＣＰＵ３４は、画像更新操作が行われたとみなし、記録媒体４２に記録された別の画像ファイルを指定するとともに、指定画像ファイルの再生をメモリＩ／Ｆ４０に命令する。この結果、ＬＣＤモニタ３０上の再生画像が更新される。
【００４７】
再生モードの下で転送ボタン３８ｔｒが操作されると、ＣＰＵ３４は、画像転送操作が行われたとみなし、再生画転送を通信Ｉ／Ｆ４４に命令する。通信Ｉ／Ｆ４４は、再生画像エリア２６ｃに格納された画像データをメモリ制御回路２４を通して読み出し、読み出された画像データをスマートフォンに転送する。
【００４８】
撮像タスクは図８〜図９に示すように構成され、再生タスクは図１０に示すように構成される。
【００４９】
図８を参照して、ステップＳ１ではＬＥＤ３６１〜３６６を起動し、ステップＳ３では動画取り込み処理を開始し、ステップＳ５では動画表示処理を開始する。これらの処理の結果、ケースＣＳ１の内側に向けて光が照射され、ケースＣＳ１の内側を表す画像データがカメラ処理回路２２から繰り返し出力され、これに基づくスルー画像がＬＣＤモニタ３０に表示される。
【００５０】
ステップＳ７ではシャッタボタン３０ｓｈが半押しされたか否かを判別し、判別結果がＮＯであればステップＳ９で簡易ＡＥ処理を実行する。この結果、スルー画像の明るさが大まかに調整される。ステップＳ１１では転送開始操作が行われたか否かを判別し、ステップＳ１３では転送終了操作が行われたか否かを判別する。
【００５１】
ステップＳ１１の判別結果およびステップＳ１３の判別結果のいずれもＮＯであればステップＳ７に戻り、ステップＳ１１の判別結果がＹＥＳであればステップＳ１５に進み、ステップＳ１３の判別結果がＹＥＳであればステップＳ１７に進む。ステップＳ１５では動画転送の開始を通信Ｉ／Ｆ４４に命令し、ステップＳ１７では動画転送の終了を通信Ｉ／Ｆ４４に命令する。ステップＳ１５またはＳ１７の処理が完了すると、ステップＳ７に戻る。この結果、送開始操作から転送終了操作までの間に捉えられたシーンを表す画像データが通信Ｉ／Ｆ４４によってスマートフォンに転送される。
【００５２】
ステップＳ７の判別結果がＹＥＳであれば、ステップＳ１９で厳格ＡＥ処理を実行し、ステップＳ２１でＡＦ処理を実行する。この結果、スルー画像の輝度および鮮鋭度が最適値に調整される。ステップＳ２３ではシャッタボタン３０ｓｈが全押しされたか否かを判別し、ステップＳ２５ではシャッタボタン３０ｓｈの操作が解除されたか否かを判別する。ステップＳ２３の判別結果およびステップＳ２５の判別結果のいずれもＮＯであればステップＳ２３に戻り、ステップＳ２５の判別結果がＹＥＳであればステップＳ７に戻り、ステップＳ２３の判別結果がＹＥＳであればステップＳ２７に進む。
【００５３】
ステップＳ２７では静止画取り込み処理を実行し、ステップＳ２９では記録処理の実行をメモリＩ／Ｆ４０に命令する。シャッタボタン３８ｓｈが全押しされた時点のシーンを表す１フレームの画像データは、静止画取り込み処理によって動画像エリア２６ａから記録画像エリア２６ｂに退避される。メモリＩ／Ｆ４０は、記録画像エリア２６ｂに格納された画像データをメモリ制御回路２４を通して読み出し、読み出された画像データを収めた画像ファイルを記録媒体４２に記録する。ステップＳ２９の処理が完了すると、ステップＳ７に戻る。
【００５４】
図１０を参照して、ステップＳ３１では記録媒体４２に記録された最新の画像ファイルを指定し、ステップＳ３３では指定された画像ファイルの再生をメモリＩ／Ｆ４０に命令する。メモリＩ／Ｆ４０は、指定画像ファイルに格納された画像データを読み出し、読み出された画像データをメモリ制御回路２４を通してＳＤＲＡＭ２６の再生画像エリア２６ｃに書き込む。
【００５５】
ステップＳ３５では、再生画表示の開始をＬＣＤドライバ２８に命令する。ＬＣＤドライバ２８は、再生画像エリア２６ｃに格納された画像データをメモリ制御回路２４を通して読み出し、読み出された画像データに基づいてＬＣＤモニタ３０を駆動する。この結果、再生画像がＬＣＤモニタ３０に表示される。
【００５６】
ステップＳ３７では画像転送操作が行われたか否かを判別し、判別結果がＮＯであればそのままステップＳ４１に進む一方、判別結果がＹＥＳであればステップＳ３９で再生画転送を通信Ｉ／Ｆ４４に命令してからステップＳ４１に進む。再生画像エリア２６ｃに格納された画像データは、ステップＳ３９の処理によってスマートフォンに転送される。
【００５７】
ステップＳ４１では、画像更新操作が行われたか否かを繰り返し判別する。判別結果がＮＯからＹＥＳに更新されると、記録媒体４２に記録された別の画像ファイルをステップＳ４３で指定し、その後にステップＳ３５に戻る。この結果、ＬＣＤモニタ３０の表示が別の再生画像に更新される。
【００５８】
以上の説明から分かるように、ケースＣＳ１は、観察面に接する開口ＯＰ１を有し、対象物が存在する空間を観察面と協働して塞ぐ。ディジタルカメラ１０はケースＣＳ１に装着され、撮像装置１８はケースＣＳ１の内側のシーンをマニュアルズームレンズＺＬを通して捉える。ＬＣＤドライバ２８および通信Ｉ／Ｆ４４はそれぞれ、撮像装置１８によって捉えられたシーンを表す動画像を撮像処理と並列してＬＣＤモニタ３０およびスマートフォンに出力する。変換機構ＣＶ１および摺動機構ＳＬ１は、リングＲＧ１の操作に従ってマニュアルズームレンズＺＬの位置を変更する。
【００５９】
対象物が存在する空間は、ケースＣＳ１によって塞がれ、かつ撮像装置１８によって捉えられる。対象物を表す動画像は、撮像装置１８の処理と並列して出力される。また、出力された動画像の倍率は、リングＲＧ１の操作に従って変更される。これによって、対象物の観察に関する性能が向上する。
【００６０】
なお、この実施例では、マルチタスクＯＳおよびこれによって実行される複数のタスクに相当する制御プログラムは、フラッシュメモリ４６に予め記憶される。しかし、一部の制御プログラムを内部制御プログラムとしてフラッシュメモリ４６に当初から準備する一方、他の一部の制御プログラムを外部制御プログラムとして外部サーバから取得するようにしてもよい。この場合、上述の動作は、内部制御プログラムおよび外部制御プログラムの協働によって実現される。
【００６１】
また、この実施例では、ＣＰＵ３４によって実行される処理を上述の要領で複数のタスクに区分するようにしている。しかし、各々のタスクをさらに複数の小タスクに区分してもよく、さらには区分された複数の小タスクの一部を他のタスクに統合するようにしてもよい。また、各々のタスクを複数の小タスクに区分する場合、その全部または一部を外部サーバから取得するようにしてもよい。
【符号の説明】
【００６２】
１０  …ディジタルカメラ
１２  …ズーム制御機構
２２  …カメラ処理回路
２８  …ＬＣＤドライバ
３０  …ＬＣＤモニタ
３６１〜３６６  …ＬＥＤ
４４  …通信Ｉ／Ｆ
ＣＳ１  …ケース
１００  …カメラ装置。
【図１】
2014175718.tif 000003
【図２】
2014175718.tif 000004
【図３】
2014175718.tif 000005
【図４】
2014175718.tif 000006
【図５】
2014175718.tif 000007
【図６】
2014175718.tif 000008
【図７】
2014175718.tif 000009
【図８】
2014175718.tif 000010
【図９】
2014175718.tif 000011
【図１０】
2014175718.tif 000012